(57)【要約】【課題】  電子ペーパー等の不揮発性の表示手段を用いる際に、メモリ容量の有効利用、消費電力の削減を行う必要がある。また、電力の供給の制御の仕方によっては、画面上の表示が見辛くなってしまうことがある。【解決手段】  表示画像の展開／転送が開始されると、表示する状態の１画面を展開するための展開用のメモリをＲＡＭから獲得する。オブジェクトの展開を行い、１画面分のオブジェクトが展開されたところで、電源管理部に従い表示部に対して電源を供給し、表示画像が安定するまでの時間の計測を開始する。表示画像の転送を行って表示画像が安定するまで十分な時間が経ったところで次の処理に移る。表示部に対しての電源を遮断して時間計測をリセットし、展開用メモリを解放し、表示画像の展開／転送を終了する。【選択図】  図１４
2005242081.tif 000002
【特許請求の範囲】
【請求項１】
電力の供給を受けずに画像の表示を維持することが可能な表示手段と、
前記表示手段に表示される画像データを生成する画像生成手段と、
前記画像生成手段によって生成された画像データを前記表示手段に転送する転送手段と、
前記表示手段への電力の供給を制御する電源制御手段と、
前記表示手段において前記転送手段によって転送された画像データに基づく画像が表示されたかを判断する判断手段と、
を有し、
前記電源制御手段は、前記判断手段において、前記表示手段に画像が表示されたと判断されるのに応じて、前記表示手段への電源の供給を停止することを特徴とする表示装置。
【請求項２】
前記判断手段は、前記表示手段において表示される画像が、安定して表示されているかどうかを判断することを特徴とする請求項１記載の表示装置。
【請求項３】
前記画像生成手段において生成された画像データを記憶する記憶手段をさらに有し、
前記記憶手段は、前記画像生成手段によって生成された画像データのデータサイズに応じて記憶容量を設定することを特徴とする請求項１又は２に記載の表示装置。
【請求項４】
前記表示手段における表示領域を複数の領域に分割する第一の分割手段をさらに有し、
前記画像生成手段は、前記第一の分割手段によって分割された各領域毎に画像データを生成し、
前記電源制御手段は、前記第一の分割手段によって分割された各領域毎に電力の供給を制御することを特徴とする請求項１乃至３の何れかに記載の表示装置。
【請求項５】
前記表示手段における表示領域を表示される画像のオブジェクト毎に分割する第二の分割手段をさらに有し、
前記画像生成手段は、前記第二の分割手段によって分割された各オブジェクト毎に画像データを生成し、
前記電源制御手段は、前記第二の分割手段によって分割された各オブジェクト毎に電力の供給を制御することを特徴とする請求項１乃至３の何れかに記載の表示装置。
【請求項６】
電力の供給を受けずに画像の表示を維持することが可能な表示手段と、
前記表示手段に表示される画像データを生成する画像生成手段と、
前記画像生成手段によって生成された画像データを前記表示手段に転送する転送手段と、
前記表示手段への電力の供給を制御する電源制御手段と、
前記電源制御手段によって前記表示手段へ電力が供給される時間を計測する計測手段と、
を有し、
前記電源制御手段は、前記計測手段によって、所定の時間が計測されたことに応じて前記表示手段への電源の供給を停止することを特徴とする表示装置。
【請求項７】
前記所定の時間とは、前記表示手段において表示される画像が安定するまでの時間であることを特徴とする請求項６記載の表示装置。
【発明の詳細な説明】
【技術分野】
【０００１】
本発明は、電力の供給を受けずに画像の表示を維持することが可能な表示部を有した表示装置に関する。
【背景技術】
【０００２】
事務処理におけるＯＡ化が進み、ホストコンピュータやワープロなどで作る文書も増加し、ＯＡ機器の進化と共に、その一旦を担う表示装置も同時に進化してきた。
【０００３】
そして電子技術の進歩からディスプレイもブラウン管から液晶を利用したものが現れ、より省電力化、高精細化、薄型化が進んでいる。一方、地球環境への配慮から、電子機器に対する電力削減の要求も高まり、表示装置においても例外なく、できるだけ少ないエネルギーで駆動するような表示装置の開発が求められている。
【０００４】
このように電子機器の進化と共に表示装置も進化していく中で、近年電子ペーパーに代表される省電力型の表示装置が開発されており、表示部に表示する画像を書き換えて表示する場合には電力を必要とするが、表示部に表示されている画像の保持には電力を必要としない不揮発性の表示部が開発されている。このような表示装置において、外部の電波を電力に変え、同時に表示内容が外部から入力された場合に表示部に電力を供給し、データの処理を終って外部から電波がなくなると電力を遮断するという表示装置全体の処理で電力を制御するものがある（例えば特許文献１）。
【特許文献１】特開２０００−１１３１３７
【発明の開示】
【発明が解決しようとする課題】
【０００５】
従来の揮発性の表示装置においては、表示部に画面を常に表示する必要がある。そのため、表示部に表示画像を送る為の記憶領域と、画面に表示する画像を生成するための記憶領域が別になっており、生成した画像を表示画像を送る為の記憶領域にコピーしていたため、多くのメモリ容量が必要であった。
【０００６】
また、表示装置全体での電源の管理をする上記従来例においては、細かく電源のオン／オフを行い、消費電力を少なくするということが困難であった。
【０００７】
また、不揮発性の表示装置の場合、例えば電気泳動方式の表示部においては、各粒子が動作して電界のかかった時点で固定され、表示画像が安定する前に電力が供給されなくなると、画面がボケてしまい表示が見辛くなるという欠点があった。
【０００８】
本発明は、これら従来の課題に鑑みてなされたものであり、不揮発性の表示手段に表示される画像に直接展開された画像を転送することによって、生成した表示画像を直接表示手段に送り、メモリを削減することを目的とする。
【０００９】
また、本発明は、画像表示用のメモリを必要なサイズ毎に適宜用意することによって、固定的に表示用に取っていた無駄なメモリを削減し、表示装置のメモリ容量を削減し、メモリ分のコストを下げることを目的とする。
【００１０】
また、本発明は、表示手段に表示される画像の表示完了時間を計測し、予め計測していた表示完了時間と比較し、表示手段により画像の表示が行われて安定するのを待ってから電力を遮断することによって、表示画像を見にくくするようなことなく電力を遮断でき、電力の供給をより効果的にＯＮ／ＯＦＦすることを目的とする。
【００１１】
また、本発明は、時間の判断を転送する画像の分割した領域の単位で判断できるように分割した領域の単位で表示完了時間を予め計測しておくことによって、表示画像を見にくくするようなことなく電力を遮断でき、電力の供給をより効果的にＯＮ／ＯＦＦすることを目的とする。
【００１２】
また、本発明は、時間の判断を転送する画像のオブジェクト毎で判断できるようにオブジェクトの単位で表示完了時間を予め計測しておくことによって、表示画像を見にくくするようなことなく電力を遮断でき、電力の供給をより効果的にＯＮ／ＯＦＦすることを目的とする。
【課題を解決するための手段】
【００１３】
上記課題を解決する為に、本発明における表示装置は、電力の供給を受けずに画像の表示を維持することが可能な表示手段と、前記表示手段に表示される画像データを生成する画像生成手段と、前記画像生成手段によって生成された画像データを前記表示手段に転送する転送手段と、前記表示手段への電力の供給を制御する電源制御手段と、前記表示手段において前記転送手段によって転送された画像データに基づく画像が表示されたかを判断する判断手段とを有し、前記電源制御手段は、前記判断手段において、前記表示手段に画像が表示されたと判断されるのに応じて、前記表示手段への電源の供給を停止することを特徴とする。
【００１４】
また、上記課題を解決する為に、本発明における表示装置は、電力の供給を受けずに画像の表示を維持することが可能な表示手段と、前記表示手段に表示される画像データを生成する画像生成手段と、前記画像生成手段によって生成された画像データを前記表示手段に転送する転送手段と、前記表示手段への電力の供給を制御する電源制御手段と、前記電源制御手段によって前記表示手段へ電力が供給される時間を計測する計測手段とを有し、前記電源制御手段は、前記計測手段によって、所定の時間が計測されたことに応じて前記表示手段への電源の供給を停止することを特徴とする。
【発明の効果】
【００１５】
本発明によると、不揮発性の表示手段に表示される画像に直接展開された画像を転送することによって、生成した表示画像を直接表示手段に送り、メモリの削減が可能になる。
【００１６】
また、画像表示用のメモリを必要なサイズ毎に適宜用意することによって、固定的に表示用に取っていた無駄なメモリを削減し、表示装置のメモリ容量を削減し、メモリ分のコストを下げることが可能となる。
【００１７】
また、表示手段に表示される画像の表示完了時間を計測し、予め計測していた表示完了時間と比較し、表示手段により画像の表示が行われて安定するのを待ってから電力を遮断することによって、表示画像を見にくくするようなことなく電力を遮断でき、電力の供給をより効果的にＯＮ／ＯＦＦすることが可能となる。
【００１８】
また、時間の判断を転送する画像の分割した領域の単位で判断できるように分割した領域の単位で表示完了時間を予め計測しておくことによって、表示画像を見にくくするようなことなく電力を遮断でき、電力の供給をより効果的にＯＮ／ＯＦＦすることが可能となる。
【００１９】
また、時間の判断を転送する画像のオブジェクト毎で判断できるようにオブジェクトの単位で表示完了時間を予め計測しておくことによって、表示画像を見にくくするようなことなく電力を遮断でき、電力の供給をより効果的にＯＮ／ＯＦＦすることが可能となる。
【発明を実施するための最良の形態】
【００２０】
以下、本発明の実施の形態を説明する。本実施の形態においては、本発明の表示装置を搭載した印刷装置を例に説明するが、本発明の表示装置の用途は印刷装置に搭載される場合に限定されるものではなく、複写機や複合機といった各画像形成装置等に適用されてもよく、また、コンピュータ等の情報処理装置に搭載される表示装置に適用されてもよい。さらには、これら画像形成装置及び情報処理装置と所定のインターフェース及び通信手段を介して接続されて用いられてもよい。
【実施例１】
【００２１】
まず、本発明の表示装置を搭載した実施の形態を適用可能な印刷装置の一例としてカラーレーザビームプリンタの構成例を説明する。
【００２２】
図１は、カラーレーザビームプリンタ１０３０、それらの機器が繋がっているネットワーク１０００とネットワークに接続するための通信線１００４から構成されるシステム構成を示した図である。
【００２３】
カラーレーザビームプリンタ１０３０内の１０３１は、プリンタ全体の動作を司るレーザビームプリンタ制御ユニットである。制御ユニットは、ネットワーク２０００と繋がる通信線１００４を介して入出力を司る入出力部１０３２を通じて、ネットワーク上に存在する各ホストコンピュータ１００１との通信を行う。また、印字のための制御コードや、入出力部１０３２からデータの送受信を行うための入出力バッファ（１０３３）、制御ユニット全体の動作を制御するＣＰＵ１０３４、ＣＰＵの動作を記述するプログラムが内蔵されているプログラムＲＯＭ１０３５、前記制御コード、データの解釈や印刷に必要な計算、印字データの処理のためのワークメモリに利用されるＲＡＭ１０３６、印刷装置の電源が遮断されても保持しておく必要のあるデータを格納する不揮発性ＲＡＭ（ＮＶＲＡＭ）１０３７、ホストコンピュータ１００１から受信した印刷データを解析する印刷データ解析部１０６１、印刷データ解析部１０６１により解析された結果に応じて、各種の画像オブジェクトを生成する画像情報生成部１０６２、各色プレーン（イエローＹ、シアンＣ、マゼンタＭ、ブラックＫ）ごとにエンジンに画像オブジェクトをビットマップ画像に展開し、展開されたビットマップ画像を印刷装置エンジンに転送するＹ画像展開／転送部１０３８Ｙ、Ｃ画像展開／転送部１０３８Ｃ、Ｍ画像展開／転送部１０３８Ｍ、Ｋ画像展開／転送部１０３８Ｋ、実際に紙に印刷を行う印刷装置エンジン部１０３９と制御ユニットとエンジン部を繋ぐエンジンＩ／Ｆ部１０４０、印刷装置の操作を行う操作パネル１０４１、制御ユニットと操作パネル１０４１を繋ぐパネルＩ／Ｆ部１０４２および、印字データや様々な印刷装置の情報等の保存に利用される外部メモリ１０４３と制御ユニットと外部メモリを繋ぐメモリＩ／Ｆ部１０４４、そして各ユニットをつなぐシステムバス１０４５からシステムは構成されている。
【００２４】
エンジン部１０３９には、紙の給紙から印字、排出までの印刷の制御を行うエンジン制御部１０４６、Ｙ、Ｍ、Ｃ、Ｋのカラー印刷時の処理を行うカラー印刷モードと、Ｋのみを利用してモノクロの印刷時の処理を行うモノクロ印刷モードを切り替えるカラー／モノクロ印字制御部１０４７が存在している。
【００２５】
図３はカラーレーザビームプリンタのエンジン部１０３９の内部構造を示した図である。図３に示すカラーレーザビームプリンタ１０３０は、図３に示すように、筐体３００１を備え、筐体３００１には、エンジン１０３６を構成するための各機構と、その各機構による各印字プロセス処理に関する制御を行うエンジン制御部１０４６、及びプリンタコントローラ１０３１（図１に示す）を収納する制御ボード収納部３００３とが内蔵されている。
【００２６】
このカラーレーザビームプリンタには、垂直方向に併設された４個の像担持体としての感光体ドラム３０１０（３０１０Ｋ，３０１０Ｍ，３０１０Ｃ，３０１０Ｙ）を備えている。この感光体ドラム３０１０は、駆動手段（不図示）によって、図１の逆時計回りの方向に回転駆動される。感光体ドラム３０１０の周囲には、その回転方向に従って順に、感光体ドラム３０１０の表面を均一に帯電する帯電装置３０１１（３０１１Ｋ，３０１１Ｍ，３０１１Ｃ，３０１１Ｙ）、画像情報に基いてレーザビームを照射し、感光体ドラム３０１０上の静電潜像を形成するスキャナ部３０１２（３０１２Ｋ，３０１２Ｍ，３０１２Ｃ，３０１２Ｙ）、静電潜像にトナーを付着させてトナー像として現像する現像装置３０１３（３０１３Ｋ，３０１３Ｍ，３０１３Ｃ，３０１３Ｙ）、感光体ドラム３０１０上のトナー像を転写材に転写させる静電搬送転写装置３０１４、転写後の感光体ドラム３０１０表面に残った転写後トナーを除去するクリーニング装置３０１５  は（３０１５Ｋ，３０１５Ｍ，３０１５Ｃ，３０１５Ｙ）、一体的にカートリッジ化され、プロセスカートリッジ３０１６（３０１６Ｋ，３０１６Ｍ，３０１６Ｃ，３０１６Ｙ）を形成し、筐体３００１に着脱可能なものとなっている。
【００２７】
次に各部の構成について順次説明する。感光体ドラム３０１０は、有機光伝導体層（ＯＰＣ感光体）を流布して構成したものである。感光体ドラム３０１０は、その両端部を支持部材によって回転自在に支持されており、一方の端部に駆動モータ（不図示）からの駆動力が伝達されることにより、図中反時計回りに回転駆動される。
【００２８】
各帯電装置３０１１は、ローラ状に形成された導電性ローラで、このローラを感光体ドラム３０１０表面に当接させるとともに、このローラに電源（不図示）によって帯電バイアス電圧を印加することにより、感光体ドラム３０１０表面を一様に帯電させるものである。
【００２９】
スキャナ部３０１２は、感光体ドラム３０１０の水平方向に配置され、レーザダイオード（不図示）によって画像信号に対応する画像光がスキャナモータによって高速回転されるポリゴンミラー３０２８（３０２８Ｋ，３０２８Ｍ，３０２８Ｃ，３０２８Ｙ）に照射される。ポリゴンミラーに反射した画像光は、結像レンズ３０１７（３０１７Ｋ，３０１７Ｍ，３０１７Ｃ，３０１７Ｙ）を介して帯電済みの感光体ドラム３０１０表面を選択的に露光して静電潜像を形成するように構成している。
【００３０】
現像装置３０１３（３０１３Ｋ，３０１３Ｍ，３０１３Ｃ，３０１３Ｙ）はそれぞれ転写材の搬送方向上流側（図中の下側）から順に、イエロー、シアン、マゼンタ、ブラックの各色のトナーをそれぞれ収納した現像器から構成される。感光体ドラム３０１０上の静電潜像の現像時には、対応する現像器の容器内のトナーを送り機構によって塗布ローラ３０１３ｋ１，３０１３ｍ１，３０１３ｃ１，３０１３ｙ１に送りこみ、回転する現像ローラ３０１３ｋ２，３０１３ｍ２，３０１３ｃ２，３０１３ｙ２の外周にトナーを薄層塗布し、且つトナーへ電化を付与（摩擦帯電）する。この現像ローラと、静電潜像が形成された感光体ドラム３０１０との間に現像バイアスを印加することにより、静電潜像にトナーを付着させてトナー像として現像するものである。
【００３１】
クリーニング装置３０１５は、現像装置３０１３によって感光体ドラム３０１０上に現像されたトナーが転写材に転写された後、転写されないで感光体ドラム３０１０表面に残ったいわゆる転写残トナーを除去するものである。
【００３２】
全ての感光体ドラム３０１０Ｋ，３０１０Ｍ，３０１０Ｃ，３０１０Ｙに対向し、接するように循環移動するベルト部材としての静電搬送ベルト３００８が配設されている。この静電搬送ベルト３００８は、垂直方向に４軸でローラに支持され、図中左側の外周面に転写材を静電吸着して上記感光体ドラム３０１０に転写材を接触させるべく循環移動する。また、静電搬送ベルト３００８の転写材搬送方向上流（図中下側）には吸着ローラ３００９が当接している。転写材の搬送に際しては、前記吸着ローラ３００９にバイアス電圧を印加することで、接地されたローラ３０１８ａとの間に電界を形成し、静電搬送ベルト３００８および転写材の間に誘電分極を発生させて両者に静電吸着力を生じさせることができるようになっている。
【００３３】
これにより、転写材は静電搬送ベルト３００８により転写位置まで搬送され、感光体ドラム３０１０上のトナー像が順次転写される。
【００３４】
前記静電搬送ベルト３００８の内側（裏面側）に当接し、４個の感光体ドラム３０１０Ｋ，３０１０Ｍ，３０１０Ｃ，３０１０Ｙに対応して転写部材としての転写ローラ３０１９（３０１９ｋ，３０１９ｍ，３０１９ｃ，３０１９ｙ）が併設されている。これら転写ローラ３０１９には転写バイアス用電源（不図示）が接続されている。これら転写ローラ３０１９は、感光体ドラム３０１０と対向し、転写部を形成する。これら転写ローラ３０１９から正極性の電荷が静電搬送ベルト３００８を介して転写材に印加され、この電荷による電界により、感光体ドラム３０１０に接触中の転写材に、感光体ドラム３０１０上の負極性のトナー像が転写される。
【００３５】
静電搬送ベルトは、駆動ローラ３０２０、従動ローラ３０１８ａ，３０１８ｂ、テンションローラ３０２１の４本のローラにより掛け渡され、図の時計回りの方向に回転する。これにより、上述した静電搬送ベルト３００８が循環移動して転写材が従動ローラ３０１８ａ側から駆動ローラ３０２０側へ搬送される間に感光体ドラム上のトナー像を転写される。
【００３６】
給送部３０２２は、画像形成部に転写材を給送するものであり、複数枚の転写材が給送カセット３００５に収納されている。画像形成時には、給送ローラ３００６（半月ローラ）、レジストローラ対３００７が画像形成動作に応じて駆動回転し、給送カセット３００５内の転写材を１枚ずつ分離給送するとともに、転写材先端は、レジストローラ対３００７に突き当たり、一旦停止し、ループを形成した後、静電搬送ベルト３００８へと再給送されていく。
【００３７】
定着部３０２３は、転写材に転写された複数のトナー画像を定着させるものであり、駆動回転する加熱ローラ３０２４とこれに圧接して転写材に熱及び圧力を印加する加圧ローラ３０２５とからなる。
【００３８】
すなわち、感光体ドラム３０１０上のトナー像を転写した転写材は定着部３０２３を通過する際に定着ローラ対で搬送されると共に、定着ローラ対３０２４，３０２５によって熱及び圧力を印加される。これによって複数色のトナー像が転写材表面に定着される。
【００３９】
また、イエロー、マゼンタ、シアンのプロセスカートリッジ３０１６Ｙ，３０１６Ｍ，３０１６Ｃは図示しない昇降機構によって感光体ドラム３０１０Ｙ，３０１０Ｍ，３０１０Ｃが静電搬送ベルト３００８に当接した状態から左方へ移動し、静電搬送ベルト３００８から離間した位置へ移動可能に構成されている。そして、選択された印刷モードに応じて前記昇降機構が動作するようになっている。すなわち、前述のエンジン制御部１０４６におけるカラー／モノクロ印字制御部１０４７において、カラー印刷モードを指定した場合には、感光体ドラム３０１０Ｙ，３０１０Ｍ，３０１０Ｃが静電搬送ベルト３００８に当接した状態となり、各転写ローラ３０１９Ｙ，３０１９Ｍ，３０１９Ｃ，３０１９Ｋからの電圧印加により、感光体ドラム３０１０のトナー像がイエロー、マゼンタ、シアン、ブラックの順で順次転写される。一方、モノクロ印刷モードを指定した場合には、前記昇降機構によって、感光体ドラム３０１０Ｙ，３０１０Ｍ，３０１０Ｃを静電搬送ベルト３００８から離間させることによって、感光体ドラム３０１０Ｋのみが静電搬送ベルト３００８に当接した状態となり、転写ローラ３０１９Ｋからの電圧の印加により、感光体ドラム３０１０Ｋのトナー像がブラックのみで転写されることになる。カラー印刷モードは、必ずしもカラー文書を印字するものではなく、モノクロ文書をカラー印刷モードで印字すれば、トナー像がブラックにのみ形成される違いのみでカラー印刷モードと同じ動作で印字を行うことが可能である。
【００４０】
このようにして、トナー像を転写された転写材３００４は、駆動ローラ３０２０で宣伝搬送ベルト３００８から分離され、定着器３０２３に至り、転写材３００４は、上記トナー像を熱定着された後、排出ローラ対３０２６によって排出部Ｆに排出されることになる。
【００４１】
筐体３００１には、プリンタコントローラにより印字データ等の記憶に利用される外部メモリ部１０３８を構成するための外部メモリユニット３０２７が取り付けられている。また、パネル部１０３７を構成するための操作パネル３００２が取り付けられている。
【００４２】
図４に操作パネルの外観を示す。操作パネル３００２には、印刷装置全体の電源を操作するスイッチ群（本実施例では、図中の電源スイッチ４００１、機器のリセットを行うリセットスイッチ４００２）、印刷装置の各種情報やタッチパネルにおける操作キーを表示のための表示部４００３、表示されたディスプレイ部の上からの入力を受け付けるタッチパネル部４００４（タッチパネル部は、ディスプレイ部４００３の上に重ねられて位置する。
【００４３】
次に操作パネル部１０４１のシステム構成を図２に示す。操作パネル部１０４１には、操作パネル内の制御を行うための操作パネル部制御ユニット２００２が存在し、印刷装置本体のパネルＩ／Ｆ部１０４２と繋がる通信線２００１を介して入出力を司る入出力部２１０２を通じて、印刷装置の制御ユニット１０３１との通信を行う。また、パネルの表示部に表示する内容を制御するための制御コードや、パネルの表示に必要な情報、キーからの入力やタッチパネルからの入出力結果のデータのやり取りを入出力部２１０２を通して送受信するための入出力バッファ（２００３）、制御ユニット全体の動作を制御するＣＰＵ２００４、ＣＰＵの動作を記述するプログラムが内蔵されているプログラムＲＯＭ２００５が存在し、プログラムＲＯＭには、パネル上のキー２００７やタッチパネル部２０１１からの入力に対してその内容を解析し、必要な情報は制御ユニット１０３１に通知し、入力によって変化した表示に必要な情報を表示用データとして生成するキー入力解析部２０３６が存在する。そして、前記解析部２０３６から指示のあった表示用データ、および、制御ユニット１０３１から受信した表示用データを解析する表示データ解析部２０３１、表示データ解析部２０３１により解析において、表示中の画像への入力に対してどう表示を変えるかの状態遷移の情報、その状態でキーが入力された場合にその内容に応じた処理内容、表示するオブジェクトの形状、オブジェクトが占める領域を決定するための各種パラメータ、オブジェクトの上下関係を定める値などの情報の表示オブジェクトの表示情報データ群２０３３から各種の表示画像オブジェクトを生成する表示画像情報生成部２０３２と表示画像オブジェクトをビットマップ画像に展開し、展開されたビットマップ画像を表示部に転送する表示画像展開／転送部２０３４、表示画像を表示部に転送する場合に表示部の電源を制御する電源管理部２０３５が格納されている。
【００４４】
そして、前記制御コード、表示用データの解釈や印刷に必要な計算、印字データの処理のためのワークメモリに利用されるＲＡＭ２００６が存在し、ＲＡＭ２００６内には、表示画像情報生成部２０３２によって作成された表示画像オブジェクトを登録しておく、表示画像オブジェクト領域２０４２、表示画像オブジェクトの画像領域を管理するための情報が格納されている表示画像管理情報２０４１、表示画像オブジェクトを展開して表示部に転送する際に、ビットマップに展開するための情報として利用される表示オブジェクト展開領域２０４３が存在する。
【００４５】
また、操作パネル部制御ユニット２００２から出力される表示画像を表示する表示部２００９とその制御を行う表示部制御ユニット２０１０、表示部に表示されたオブジェクトのうち、キーとして表示されたものに対するユーザからの入力を検知するタッチパネル部２０１１とその制御を行うタッチパネル制御ユニット２０１２、操作パネル部に設けられたキー２００７とその制御を行うキー制御ユニット２００８、そして各ユニットをつなぐシステムバス２０１３から操作パネル部１０４１は構成されている。
【００４６】
次に、表示部２００９について詳述する。図５は、ＥＰＤ（電気泳動現象を利用したディスプレイ）方式の表示部について示している。これは、２枚のプラスチックフィルムの間に帯電したトナーを封じ込めて、トナーの面内分布を電気的に変化させて画像を形成するというもの。表示部４００３は、ＴＦＴ部５００１、接着剤層５００２、カプセル化したディスプレイ媒体５００３、および樹脂素材５００４を備える。ＴＦＴ部５００１がディスプレイ媒体５００３に電場を印加すると、ディスプレイ媒体５００３内の帯電したトナーは極性に応じてどちらかの電極上に静電吸着し、その表面を被う。ここで一方の電極を面積の小さな黒色、他方を面積の大きな白色にしておくことで、コントラストを発生させて画像を形成するという仕組みである。なお、画像形成後、電気を切っても電極表面に吸着されたトナーはその状態を保持するため、表示画像には不揮発性がある（電気泳動の詳細は、図８で説明する。）。あるいは、トナーを粘性の高い分散媒に分散することによって、一度電界を印加した後は、電源が切断されても粒子の位置が変化しなく、電源を切っても表示画像が消えない不揮発性を有することになる。
【００４７】
図６は、図５中ＴＦＴ部５００１の実現方法を示しており、「特登録０２５４７３１４  液晶表示装置の駆動回路」の中で説明されている表示領域に配置された各絵素にスイッチング素子を付加したマトリックス型表示装置の駆動回路に関するものである。図６は、マトリックス型表示装置の基本的なブロック回路を示す回路構成図、図７は、行・列電極に加えられる信号波形の１例を示すタイミング波形図である。６００１は表示パネルであり直交する方向に多数本配列された行電極６００２と列電極６００３の各交点でスイッチングトランジスタ６００４が形成され、スイッチングトランジスタ６００４のゲート電極が行電極６００２に、ソース電極が列電極６００３に、ドレイン電極がマトリックス状に配置された表示絵素電極にそれぞれ接続されることにより構成されている。６００６は行電極駆動回路であり図７に示すＰｓのような走査パルスを各行電極（本実施例では０〜２３９の２４０行）に出力する。６００７は列電極駆動回路でＰｄのような表示内容に対応した図７のようにデータ波形を各列電極（本実施例では０〜６３９の６４０列）に出力する。６００８は行および列電極駆動回路を動作させるための制御回路である。
【００４８】
このような表示装置において、図７において走査パルスＰｓにより表示領域のある行が選択されスイッチングトランジスタ６００４がオン状態となると、データ波形Ｐｄのその行に対応する電圧がスイッチングトランジスタ６００４を介して表示絵素電極に供給され、表示絵素電極とこれに対向する対向電極間に位置する電子ディスプレイ媒体６００５に電圧が印加される。次にこの行が非選択となるとスイッチングトランジスタはオフ状態となり、表示絵素電極と列電極は切り離されるため、電子ディスプレイ媒体６００５に印加されていた電圧はデータ波形の影響を受けることなくそのまま保持され、これが行方向に順次反復されてクロストークのない鮮明な表示パターンが得られる。このように実施することで、６４０×２４０ドットの表示が可能となり、行電極、列電極にそれぞれ０から番号を振ることで、パネルを左上を座標（０，０）、右下を座標（６３９，２３９）として扱うことが可能となる。
【００４９】
図８、図９は、ディスプレイ媒体５００３の仕組みを説明するものである。
【００５０】
図８は電気泳動ディスプレイ８００１を示す。バインダ８００２は、複数の粒子８００３および染色懸濁流体８００４を充填された少なくとも１つのカプセル８００５を含む。１実施形態において、粒子８００３はチタニア粒子である。適切な極性の直流電界がカプセル８００５に印加される場合には、粒子８００３がディスプレイの視覚面（ユーザに見える側、図中では上側の画面）へと移動して、光を散乱する。印加された電界が逆転される場合には、粒子８００３はディスプレイの背面に移動し、そしてディスプレイの視覚面は、暗く見える。
【００５１】
図９は別の電気泳動ディスプレイ９００１を示す。このディスプレイは、第１のセットの粒子９００３および第２のセットの粒子９００４をカプセル９００５内に含む。第１のセットの粒子９００３および第２のセットの粒子９００４は、対照をなす光学特性を有する。例えば、第１のセットの粒子９００３および第２のセットの粒子９００４は、異なる電気泳動移動度を有し得る。加えて、第１のセットの粒子９００３および第２のセットの粒子９００４は、対照をなす色を有し得る。例えば、第１のセットの粒子９００３は白で、第２のセットの粒子９００４は黒であり得る。カプセル９００５は実質的に透明な流体をさらに含む。カプセル９００５は、カプセル９００５を隣接して堆積された電極９００２および９００６を有する。電極９００２、９００６は、電圧源９０７に接続されており、カプセル９００５に交流（ＡＣ）電界または直流（ＤＣ）電界を提供し得る。電極９００２、９００６’に電界を印加する際に、第１のセットの粒子９００３は電極９００６に向かって移動するが、第２のセットの粒子９００４は電極９００２に向かって移動する。
【００５２】
図８、図９に提供された電気泳動ディスプレイは単なる実施例であり、他の電気泳動ディスプレイが本発明にしたがって使用され得る。
【００５３】
また、カラー表示に関する電気泳動ディスプレイについては、例えば、特開２０００−１９４０２０などのように電界の強さを変更することで上記と同様に実現することが可能である。
【００５４】
次に、上述したシステム構成での操作パネル部の動作について以下に説明する。
【００５５】
印刷装置に電源が投入されると、表示部には、電界が全体に一方向にかけられ、何も表示されない状態（例えば、図８で粒子がディスプレイの背面、視覚面と逆側）となる。そして、何も表示されていない状態（図４の４００３の状態）から、印刷が可能な状態になり、表示部４００３に図１０の画像が表示される場合の処理例を示す。
【００５６】
印刷装置のコントローラにおいて、電源投入時の処理が終了すると、パネルＩ／Ｆ部１０４２を通して、２００１の通信線から操作パネル部１０４１の入出力部２１０２より印刷可能状態となったコマンドが発行され、その時のデフォルトの給紙段情報（カセット１が選択され、Ａ４用紙）等、表示に必要な情報が送られてくる。ここで、表示データ解析部２０３１における処理フローを図１１に示す。
【００５７】
まず、電源が投入された時点で、表示処理を開始し、制御ユニット１０３１からの表示用データの受信、あるいは、キー入力解析部２０３６から指示される表示用データの受信を待ち（１１００１でＮＯ）、表示用データを受信すると（１１００１でＹＥＳ）、受信したデータの内容から表示に必要な各種情報を取得する（１１００２）。ここで、表示の状態（例えば、電源立ち上げ終了時では、プリンタがホストコンピュータからデータを受け取り、プリント可能な状態である「オンライン」の情報）が得られ、同時に表示に必要となる給紙段情報と給紙の用紙サイズの情報が表示データにより与えられる。これらの情報は、パネル部から必要な情報を制御ユニット１０３１に問い合わせることももちろん可能である。次に、得られた情報から表示する状態に対応した表示部の画像を生成するため、表示情報データ群２０３３を参照して表示するオブジェクトの形状、オブジェクトが占める領域を決定するための各種パラメータ、オブジェクトの上下関係を定める値などを参照して、表示画像情報生成部２０３２において表示部の画像を生成する際に必要となる表示画像オブジェクトを生成する（１１００３）。ここで、図１２にＲＡＭ２００６上の表示画像オブジェクト領域２０４２に格納される表示画像オブジェクトの概念図を示す。表示画像オブジェクトとして、オブジェクトのＩＤとそのタイプ、そのオブジェクトを実際にビットマップ画像に展開するための情報、そしてオブジェクトを参照している画面の参照枚数の情報が格納される。例えば、オンライン状態の場合に表示部に表示される表示画像の図１０中の１０００１に対応される文字列が、オブジェクトＩＤが０、オブジェクトのタイプが文字列、付属情報として、左上を原点、Ｘ座標を右向きに、Ｙ座標を下向きにとった表示位置、Ｘ座標がｘ１、Ｙ座標がｙ１、図形が重なる場合を考慮して、そのレベルにＺ座標を取って、ｚ１、フォントをＦ１、サイズがＳ１、文字列として「オンライン」、色の指定を黒というような情報を格納している。同様にオブジェクトＩＤを１として、１０００２のオンラインボタンを、ＩＤを１１として１０００３のジョブの実行状態を示すジョブ表示画像１０００４、その説明文字列１０００３をＩＤを１０として登録していることを示している。参照数については、処理の説明時に同時に述べることにする。本実施例では、表示部にかける電圧を２段階に調整することによって、白、灰色、黒の表示を可能な場合の例を示している。そして、これらを画面毎に管理するために、表示画像管理情報に状態「オンライン」で利用する描画画像オブジェクトを登録する１１００４。
【００５８】
そして、図１３のように各画面の状態とその状態で表示する必要のある表示画像オブジェクトを関連づけ、重なって表示させる必要がある場合の表示画像の展開順を考慮して、Ｚ軸のパラメータの順位を考慮して、登録順番を並べ替え、表示画像管理情報２０４１として保持することになる。また、展開の完了をチェックするフラグとして展開完了フラグを持ち、展開が完了していないオブジェクトのフラグをＦａｌｓｅに初期化している。本実施例では、「オンライン」の状態を状態１として、その状態で必要なオブジェクトをＩＤで管理し、オンライン状態と図１２の表示画像オブジェクト領域２０４２上のオブジェクトの情報とのリンク関係を記憶している。
【００５９】
次に、これらの情報に基づいて、表示画像展開／転送部２０３４において表示画像の展開、および、展開した画像を表示部への転送を行う（１１００５）、ここで、表示画像の展開／転送における処理過程を図１４に示す。
【００６０】
表示画像の展開／転送が開始されると、１４００１において、表示する状態の１画面を展開するための展開用のメモリを表示オブジェクト展開領域２０４３としてＲＡＭ２００６から獲得する。そして、表示画像管理情報２０４１から、順に展開完了フラグをチェックして展開していないオブジェクトがあるかどうかをチェックし（１４００２）、展開されていないオブジェクトがある場合には（１４００２でＹＥＳ）、次に展開するべきオブジェクトを選択して表示オブジェクト展開領域２０４３から取り出し（１４００３）、表示オブジェクト展開領域の上記１画面の表示画像の展開用のメモリ上に展開して、表示画像管理情報の展開完了フラグをＴｒｕｅに設定して（１４００４）、次のオブジェクトのチェックに移り、展開していないオブジェクトが無くなるまで（１４００２でＮＯ）処理を繰り返す。そして、１画面分のオブジェクト全てが展開されたところで、電源管理部２０３５に従い、表示部２００９に対して電源を供給し、表示画像が安定するまでの時間の計測を開始する（１４００５）。各座標点に対応して制御回路６００８により、行電極駆動回路６００６および列電極駆動回路６００７によりパネルに表示画像を転送する（１４００６）。そして、転送を行って、表示画像が安定するまでの時間が十分に経ったかをチェックし（１４００７）、十分な時間が経っていなければ（１４００７でＮＯ）、時間の経過を待ち、十分な時間が経ったところで（１４００７でＹＥＳ）次の処理に移る。この時間は、予め計測してある、１画面分の表示画像の安定時間（本実施例では、電気泳動により電極表面に吸着されるまでの時間や、かけた電圧に対して粒子がディスプレイの視覚面、あるいは背面に移動し終る時間）を計測しておくことになる。もちろん、安定時間を計算するアルゴリズムを持つ場合も考えられるのは言うまでもない。
【００６１】
その後、表示部２００９に対しての電源を遮断して時間計測をリセットし（１４００８）、展開が終了し、表示画面の転送が終ると、電源を切っても表示が画像が消えなくなるため、１画面分の展開用メモリを保持する必要がなくなり、展開用メモリを解放し（１４００９）、画面分の展開／転送処理が終了したことをメモリ上にマーキングして（１４０１０）、表示画像の展開／転送を終了する。
【００６２】
その後、図１１の処理に戻り、１１００６において、登録情報の更新と不必要になった表示画像オブジェクトの削除を行い、状態の変化により表示されている画面の管理情報と表示画像オブジェクトのみを残し、利用されていない管理情報と表示画像オブジェクトを削除する。本実施例では、１１００６において「オンライン」の状態で表示された表示画像オブジェクトの参照数を更新し、表示画像オブジェクト領域２０４２に格納されている各表示画像オブジェクトのうち「オンライン」の状態で利用されているものだけを＋１する。そして、利用されていない状態の表示画像オブジェクトを削除するが、今回の「オンライン」の状態は電源投入直後の最初の画面であるため、削除する管理情報と表示画像オブジェクトは存在しない。
【００６３】
そこで、例えば、この図１０のオンラインの状態から、ホストコンピュータより印刷データが流れ、ジョブを受け付けて状態が「ジョブ処理中」に変わる場合を考える。この場合、図１５のようにジョブの表示が白に変化する１５００１。このような場合には、オンラインの状態と表示内容はジョブ表示１５００１に対応する表示画像オブジェクトが表示画像オブジェクト領域２０４２に新たに作成され、表示画像オブジェクトの作成時点では、図１６のようにオブジェクトＩＤが５０として追加され、表示画像管理情報２０４１には図１６のようにジョブ処理中の状態２が追加されることになる。図２７において、他のオブジェクトは、１１００３におけるオブジェクトの生成時に、表示位置、タイプ、情報が同じオブジェクトが既に「オンライン」状態の表示時点で存在しているため、新たには生成されない。また、ジョブの表示部分のオブジェクトに相当する１５００１のオブジェクトＩＤが５０の参照枚数は、オブジェクトの作成時点では、まだ画像の展開／転送が終了し、１１００６による登録情報の更新／オブジェクトの削除の処理がなされていないため、０となっている。ここで、上記処理に従って、表示画像の展開／転送が終了すると、１１００６において、「ジョブ処理中」に登録されている各表示画像オブジェクトの参照枚数が＋１され、図１７のような状態となる。ここで、現在の状態ではない「オンライン」の状態における管理情報を表示画像管理情報により参照して図１３から、オブジェクトＩＤ０、１、１０、１１を消しに行く。ここで、参照情報が１の場合には、他の状態で利用されていないことになり、表示画像オブジェクトを削除し、２の場合には、現在の表示画面、すなわち「ジョブ処理中」の状態が表示画像オブジェクトを参照していることになり、参照情報を−１のみして、表示画像オブジェクト自体は残しておく。結果として、オブジェクトＩＤ１１の表示画像オブジェクトのみを削除し、「オンライン」の状態の管理情報を削除して１１００６の処理が終了する。結果として、表示画像オブジェクト領域には、図１８のように、オブジェクトＩＤ１１の分がオブジェクトＩＤ５０に置き換わった状態となる。そして、１１００７において、表示処理の終了、すなわち、印刷装置の電源が切られた場合の表示処理自体の終了なのかどうかを判断して（１１００７）、印刷装置の電源が切られる場合のシャットダウン状態の表示の場合には（１１００７でＹＥＳ）、表示処理は必要なくなるので、表示処理を終了する。また、電源が切られる場合の処理ではない場合には（１１００７でＮＯ）、そのまま次の表示処理が開始されるのを待ち、１１００１からの処理を繰り返すことになる。
【００６４】
次に、ユーザがタッチパネル２０１１を操作した場合を考慮する。この場合には、タッチパネル制御ユニット２０１２よりユーザが押したタッチパネルの位置情報がキー入力解析部２０３６に渡される。ここで、キー入力解析部２０３６における処理フローを図１９に示す。
【００６５】
キー入力解析部２０３６では、まず、タッチパネル制御ユニット２０１２より位置情報を受け取ると、現在表示されている画像の情報を上記に示した表示画像管理情報２０４１を参照し（１９００１）、どのオブジェクトの領域内にキー入力があったのかを確認するため、全てのオブジェクトのチェックが終了したかどうかを確認し（１９００２）、全てのオブジェクトの領域をチェックしていなければ（１９００２でＮＯ）、１つのオブジェクトを表示画像管理情報から参照して選択し（１９００３）、キー入力のあった入力座標がオブジェクトの領域内にはいるかどうかを計算し（１９００４）、オブジェクト内に入る場合（１９００５でＹＥＳ）には、選択されたオブジェクトに対する入力の可能性があるため、入力の候補として、オブジェクトＩＤを登録して置く（１９００６）。また、オブジェクト内に入らなかった場合（１９００５でＮＯ）には、キー入力のあった座標が選択されたオブジェクトに起因する操作と関係無いと判断して、次のオブジェクトをチェックするべく、１９００２の処理に戻る。押された位置がどの表示画像に属するのかどうかをチェックし、現在表示されている画像に属するオブジェクトの全てのオブジェクトの領域のチェックが終了する（１９００２でＹＥＳ）と、入力候補に登録されている全てのオブジェクトのうち、Ｚ座標の最も大きいものが、画像として、一番上にかかれているものとなるため、そのオブジェクトを選択する（１９００７）。
【００６６】
例えば、図２０において、図形１（座標（ｘ１，ｙ１）に幅ｗ１、高さｈ１、ｚ座標がｚ１）のオブジェクトが図形２（座標（ｘ２，ｙ２）に幅ｗ２、高さｈ２、ｚ座標がｚ２のオブジェクト）の上に重なっていて、入力座標が（ｘ３，ｙ３）のように入力された場合には、図形１、図形２の領域内に入力座標が存在するため、図形１、２の両方が入力の候補として上がるが、ｚ１＞ｚ２と上の座標の方がｚ軸の値が大きいと規定しておくことで、入力座標は、図形１への入力となり、図形１に対する処理を行うことになる。
【００６７】
表示されている画像における状態と、その状態における選択されたオブジェクトへの入力から、対する処理内容を表示情報データ群２０３３より参照し、プリンタコントローラの制御ユニット１０３１に送信し、入力によって変更されるべき表示情報を表示データ解析部２０３１に送信して、キー入力解析を終了する。上記のような場合には、画面が表示され、画面の電力が供給されなくなっても、キーの入力は受け付ける必要があるため、タッチパネル制御部に対する電源は供給しつづけることになる。
【００６８】
上記のように、本発明は、不揮発性の表示手段に直接展開された画像を転送することによって、生成した表示画像を直接表示手段に送り、メモリを削減することが可能となる。
【００６９】
また、本発明は、画像表示用のメモリを必要なサイズ毎に適宜用意することによって、固定的に表示用に取っていた無駄なメモリを削減し、表示装置のメモリ容量を削減し、メモリ分のコストを下げることが可能となる。
【００７０】
また、本発明は、不揮発性の表示手段に表示される画像に直接展開された画像を１画面単位で転送することによって、展開／転送に利用するメモリを１画面分のメモリサイズに削減することが可能となる。
【００７１】
また、本発明は、表示手段に表示される画像の表示完了時間を計測し、予め計測していた表示完了時間と比較し、表示手段により画像の表示が行われて安定するのを待ってから電力を遮断することによって、表示画像を見にくくするようなことなく電力を遮断でき、電力の供給をより効果的にＯＮ／ＯＦＦすることが可能となる。
【００７２】
また、本発明は、時間の判断を転送する画像の１画面分の転送時間で判断できるように１画面分の表示完了時間を予め計測しておくことによって、表示画像を見にくくするようなことなく電力を遮断でき、電力の供給をより効果的にＯＮ／ＯＦＦすることが可能となる。
【実施例２】
【００７３】
上記の実施例１においては、表示される画像の単位を１画面の単位で、メモリの獲得、データの展開、転送、電源のＯＮ／ＯＦＦの制御を行ったが、例えば、１つの画面を複数のブロック（例えば、Ｙ軸方向にいくつかに分類したバンド）毎に、処理を実行させることも可能である。
【００７４】
例えば、実施例１における図１０の表示画像を図２０のように、表示画像を３つの領域に分割し、それぞれをＢａｎｄ１，Ｂａｎｄ２，Ｂａｎｄ３と分割し、バンド毎にメモリの獲得、電源の制御を行うことが可能である。
【００７５】
本実施例２は、各システム構成、動作は上記実施例１とほぼ同じであるが、表示データ解析部２０３１における処理フロー図１１における表示画像管理情報へのオブジェクトの登録時の管理情報の構成、および、操作パネル部における表示画像展開転送部２０３４、電源管理部における画像の展開／転送、電源のＯＮ／ＯＦＦの処理フローが異なる。
【００７６】
表示データ解析部２０３１における処理フローを図１１において、実施例１と同様に図１２における表示画像オブジェクト領域２０４２上のオブジェクトの情報が生成された後、表示画像管理情報に状態「オンライン」で利用する描画画像オブジェクトを登録する１１００４場合、図２１のように各画面の状態とその状態で表示する必要のある表示画像オブジェクトを関連づける際、各オブジェクトが表示画像のどのバンドに属するかを示すＢａｎｄ  ＩＤ情報を持っている。本実施例では、「オンライン」の状態を状態１として、その状態で必要なオブジェクトをＩＤで管理し、オンライン状態と図１２の表示画像オブジェクト領域２０４２上のオブジェクトの情報とのリンク関係を記憶している。
【００７７】
ここで、オンラインのボタンを示す図２８における１０００２（図１０における１０００２と同じ）は、バンドの境界に位置するため、図２１においては、Ｂａｎｄ  ＩＤ  １と、Ｂａｎｄ  ＩＤ  ２の両方から参照されている。そして、このオブジェクトは、バンド内の画像の展開を行う際に、各バンドが持つ領域内のみに展開されるように、表示画像展開／転送部で制御されることになる。
【００７８】
次に、これらの情報に基づいて、表示画像展開／転送部２０３４において表示画像の展開、および、展開した画像を表示部への転送を行う（１１００５）、ここで、本実施例における表示画像の展開／転送における処理過程を図２２に示す。表示画像の展開／転送が開始されると、展開していないバンドがあるかどうかをチェックし（２２００１）、展開していないバンドがある場合には（２２００１でＹＥＳ）、２２００２において、表示する状態の１バンド分の画面を展開するための展開用のメモリを表示オブジェクト展開領域２０４３としてＲＡＭ２００６から獲得する。そして、表示画像管理情報２０４１から、順に対応するバンドＩＤに属するものから展開完了フラグをチェックして展開していないオブジェクトがあるかどうかをチェックし（２２００３）、展開されていないオブジェクトがある場合には（２２００３でＹＥＳ）、次に展開するべきオブジェクトを選択して表示オブジェクト展開領域２０４３から取り出し（２２００４）、表示オブジェクト展開領域の上記１画面の表示画像の展開用のメモリ上に展開し、表示画像管理情報の展開完了フラグをＴｒｕｅに設定して（２２００４）、次のオブジェクトのチェックに移り、展開していないオブジェクトが無くなるまで（２２００３でＮＯ）処理を繰り返す。そして、１バンド分のオブジェクト全てが展開されたところで、電源管理部２０３５に従い、表示部２００９に対して電源を供給し、表示画像が安定するまでの時間の計測を開始する（２２００６）。各座標点に対応して制御回路６００８により、行電極駆動回路６００６および列電極駆動回路６００７によりパネルに表示画像を転送する（２２００７）。そして、転送を行って、表示画像が安定するまでの時間が十分に経ったかをチェックし（２２００８）、十分な時間が経っていなければ（２２００８でＮＯ）、時間の経過を待ち、十分な時間が経ったところで（２２００８でＹＥＳ）次の処理に移る。この時間は、予め計測してある、１バンド分の表示画像の安定時間（あるいは分割された領域それぞれの安定時間）で、本実施例では、電気泳動により電極表面に吸着されるまでの時間や、かけた電圧に対して粒子がディスプレイの視覚面、あるいは背面に移動し終る時間を計測しておくことになる。もちろん、安定時間を計算するアルゴリズムを持つ場合も考えられるのは言うまでもない。
【００７９】
その後、表示部２００９に対しての電源を遮断して時間計測をリセットし（２２００９）、展開が終了し、１バンド分の表示画面の転送が終ると、電源を切っても表示された画像が消えなくなるため、１バンド分の展開用メモリを保持する必要がなくなり、展開用メモリを解放して（２２０１０）、表示画像の展開／転送を終了する。
【００８０】
そして、次のバンドを処理するべく、１２００１からの処理を繰り返し、全てのバンドのオブジェクトの展開／転送が終了すると（２２００１でＮＯ）、画面分の展開／転送処理が終了したことをメモリ上にマーキングして２２０１１、表示画像の展開／転送を終了する。
【００８１】
ここで、図１１の処理に戻り、１１００６において、登録情報の更新と不必要になった表示画像オブジェクトの削除を行い、状態の変化により表示されている画面の管理情報と表示画像オブジェクトのみを残し、利用されていない管理情報と表示画像オブジェクトを削除するのは実施例１と同じである。
【００８２】
本実施例においては、転送する単位をバンド毎に区切ったが、いくつかのブロック、例えば、３×３の同じサイズの長方形を９つに区切ったり、あるいは、様々なサイズの領域に区切ることによっても同様に転送を領域単位で行うことによって、電源のＯＮ／ＯＦＦの制御を行い、細かい単位で転送することも可能であることは言うまでもない。
【００８３】
また、本実施例では、簡単のため、２２００３〜２２００５の表示画像オブジェクトの展開処理と、２２００５〜２２００９の展開された表示画像の転送処理とを逐次処理しているが、バンド展開用のメモリを２つ用意することによって、表示画像オブジェクトの展開処理を行っている間に、表示画像の転送処理を行うという並列動作を行うことも可能である。
【００８４】
上記のように、本発明は、表示画像の画面を少なくとも２つ以上に分割して画像を展開、転送することによって、展開／転送に利用するメモリを１画面より少ないメモリのサイズに削減することが可能となる。
【００８５】
また、このように制御することによって、表示部の不揮発性を利用して、１画面分の表示画像展開用のメモリを持つ必要が無く、展開／転送の処理単位分（本実施例では、１バンド分）のメモリのみを用意することで画面表示用のメモリを減らすことが可能となる。
【００８６】
また、本発明は、時間の判断を転送する画像の分割した領域の単位で判断できるように分割した領域の単位で表示完了時間を予め計測しておくことによって、表示画像を見にくくするようなことなく電力を遮断でき、電力の供給をより効果的にＯＮ／ＯＦＦすることが可能となる。
【実施例３】
【００８７】
上記の実施例１、２においては、表示される画像のうち、一画面分、あるいは、いくつかに区分けされた領域毎に、メモリの獲得、データの展開、転送、電源のＯＮ／ＯＦＦの制御を行い、その領域内に表示されている画像オブジェクト全てを展開／転送するような制御を行ったが、表示されている表示画像オブジェクト毎の単位でメモリの獲得、データの展開、転送、電源のＯＮ／ＯＦＦを行い、既に表示されている部分については、手を加えず、不揮発性を生かして、より処理の削減、メモリの削減、電源の削減を行うことも可能である。
【００８８】
本実施例３において、各システム構成、動作は上記実施例とほぼ同じであるが、表示データ解析部２０３１における処理フロー図１１における表示画像管理情報へのオブジェクトの登録時の処理、および、操作パネル部における表示画像展開転送部２０３４、電源管理部における画像の展開／転送、電源のＯＮ／ＯＦＦの処理フローが異なる。
【００８９】
実施例１で示したように、状態が図１０の表示から図１５の表示に変わる場合を考え、表示の変わる部分の抽出を行って、表示画像管理情報を生成する表示データ解析部２０３１における処理フローを図２３に示す。この場合の処理は、ほぼ図１１の処理と同じであるが、表示画像オブジェクトを生成する際に表示の変わる部分のみを抽出して表示画像管理情報にオブジェクトを登録する部分が異なる。すなわち、図１１の１１００３、１１００４に対応して、図２３では、表示の変わる部分を抽出し（２３００３）、表示の変わる変更に必要なオブジェクトを生成し（２３００４）、表示画像管理情報にオブジェクトを登録する際に、変更の行われない部分については、そのまま情報を継承する（２３００５）。
【００９０】
すなわち、本実施例で、図１０と図１５の差分では、ジョブを表示する画像のうち、１５００１の画像のみが変更されるため、表示画像管理情報は、図２４のように生成し、他の情報は、既に前の状態である状態１の各オブジェクトの展開で利用されていることから、展開完了フラグをＴＲＵＥにして、バンドＩＤ  ３に所属する１５００１の画像オブジェクト（オブジェクトＩＤ  ５０）のオブジェクトのみをオブジェクト１１に差し替えて、まだ画像を展開していないことを示す展開完了フラグをＦａｌｓｅにする。
【００９１】
このようにすることによって、表示画像の展開／転送処理のフロー図２５において、２５００１において、表示していないオブジェクト、すなわち、変更があった部分のオブジェクトが存在するかどうかをチェックする。そして、表示されていない表示画像オブジェクトを１つ選択し（２５００２）、選択された表示画像オブジェクトを展開するに必要な展開用メモリのみを獲得し（２５００３）、メモリ上に表示画像オブジェクトをビットマップに展開して、表示画像管理情報の展開完了フラグをＴｒｕｅに設定する（２５００４）。そして、オブジェクトが展開されたところで、電源管理部２０３５に従い、表示部２００９に対して電源を供給し、表示画像が安定するまでの時間の計測を開始する（２５００５）。各座標点に対応して制御回路６００８により、行電極駆動回路６００６および列電極駆動回路６００７によりパネルに表示画像を転送する（２５００６）。そして、転送を行って、表示画像が安定するまでの時間が十分に経ったかをチェックし（２５００７）、十分な時間が経っていなければ（２５００７でＮＯ）、時間の経過を待ち、十分な時間が経ったところで（２５００７でＹＥＳ）次の処理に移る。この時間は、予め計測してある、オブジェクト毎の表示画像の安定時間で、例えば、この時間はオブジェクトのタイプ毎に、図２６のような形で、表示情報データ群の１情報として格納しておき、本実施例では、電気泳動により電極表面に吸着されるまでの時間や、かけた電圧に対して粒子がディスプレイの視覚面、あるいは背面に移動し終る時間を計測しておくことになる。もちろん、安定時間を計算するアルゴリズムを持つ場合も考えられるのは言うまでもない。
【００９２】
その後、表示部２００９に対しての電源を遮断して時間計測をリセットし（２５００８）、表示画面の転送が終ると、電源を切っても表示が画像が消えなくなるため、表示画像オブジェクトの展開用メモリを保持する必要がなくなり、展開用メモリを解放して（２５００９）、全ての展開、転送の終了していないオブジェクトが無くなるまで（２５００１でＮＯ）、処理を繰り返し、転送終了の後、画面分の展開／転送処理が終了したことをメモリ上にマーキングして（２５０１０）、表示画像の展開／転送を終了する。
【００９３】
上記のように、本発明は、表示画像の画面をオブジェクト毎に分解してオブジェクト単位で画像を展開、転送することによって、展開／転送に利用するメモリのサイズをオブジェクトの大きさに合わせて削減することが可能となる。
【００９４】
このように制御することによって、展開用メモリが画像が変更される部分の最大のオブジェクトの領域分のみを確保しておけばいいため、画面一面分のメモリ、あるいは大きい領域が展開できるだけの展開用メモリを必要とすることが無く、省メモリ化が可能となる。
【００９５】
また、本発明は、表示されている画像の内、表示が変化した部分の画像が含まれる領域のみを生成して展開／転送することによって、データの転送量を少なくし、表示画像の転送時間を削減して処理速度の向上と、表示画像を転送している間の電力供給時間を短くして、より電力を削減することが可能となる。
【００９６】
また、本発明は、時間の判断を転送する画像のオブジェクト毎で判断できるようにオブジェクトの単位で表示完了時間を予め計測しておくことによって、表示画像を見にくくするようなことなく電力を遮断でき、電力の供給をより効果的にＯＮ／ＯＦＦすることが可能となる。
【００９７】
また、本発明は、タッチパネルとは別に表示手段の電源のＯＮ／ＯＦＦを制御することにより、タッチパネルと同時に不揮発性の表示手段を利用する場合にも効果的に、表示装置全体の電力を削減することが可能となる。
【図面の簡単な説明】
【００９８】
【図１】本発明を適用したカラーレーザビームプリンタのシステム構成を示した図である。
【図２】本発明を適用した操作パネル部のシステム構成を示す図である。
【図３】本発明を適用したカラーレーザビームプリンタのエンジン部を説明する図である。
【図４】本発明を適用した操作パネル部の表示状態を説明する図である。
【図５】本発明を適用したＥＰＤ（電気泳動現象を利用したディスプレイ）方式の表示部である。
【図６】ＴＦＴ部の実現方法でスイッチングトランジスタを付加したマトリックス型表示装置のブロック図である。
【図７】ＴＦＴ部の実現方法でスイッチングトランジスタを付加したマトリックス型表示装置の行・列電極に加えられる信号波形の１例を示す図である。
【図８】電子ディスプレイ媒体の部分的断面図である。
【図９】電子ディスプレイ媒体の部分的断面図である。
【図１０】表示部の内部に画像が表示されている例を示す図である。
【図１１】表示データ解析部における処理過程を示す図である。
【図１２】表示画像オブジェクト領域に格納される表示画像オブジェクトの概念図である。
【図１３】表示画像管理情報における画面の状態と表示画像オブジェクトの関連を説明する図である。
【図１４】表示画像の展開／転送における処理過程を説明するための図である。
【図１５】表示部の内部に画像が表示されている例を示す図である。
【図１６】表示画像管理情報における画面の状態と表示画像オブジェクトの関連を説明する図である。
【図１７】表示画像オブジェクト領域に格納される表示画像オブジェクトの概念図である。
【図１８】表示画像オブジェクト領域に格納される表示画像オブジェクトの概念図である。
【図１９】キー入力解析部における処理過程を説明するための図である。
【図２０】重なる２つの画像と入力座標を説明する図である。
【図２１】表示画像管理情報における画面の状態とバンドと表示画像オブジェクトの関連を説明する図である。
【図２２】表示画像の展開／転送における処理過程を説明するための図である。
【図２３】表示データ解析部における処理過程を示す図である。
【図２４】表示画像管理情報における画面の状態と表示画像オブジェクトの関連を説明する図である。
【図２５】表示画像の展開／転送における処理過程を説明するための図である。
【図２６】表示画像オブジェクト領域に格納される表示画像オブジェクトの概念図である。
【図２７】表示画像オブジェクト領域に格納される表示画像オブジェクトの概念図である。
【図２８】表示部の内部に画像が表示され、複数のバンドに区切られた状態を示す。
【符号の説明】
【００９９】
２００１  通信線
２００２  操作パネル部制御ユニット
２１０２  入出力部
２００３  入出力バッファ
２００４  ＣＰＵ
２００５  プログラムＲＯＭ
２００６  ＲＡＭ
２００７  キー
２００８  キー制御ユニット
２００９  表示部
２０１０  表示部制御ユニット
２０１１  タッチパネル部
２０１２  タッチパネル制御ユニット
２０４１  表示画像管理情報
２０４２  表示画像オブジェクト領域
２０４３  表示オブジェクト展開領域
２０３６  キー入力解析部
２０３３  表示情報データ群
２０３４  表示画像展開／転送部
２０３５  電源管理部
【図１】
2005242081.tif 000003
【図２】
2005242081.tif 000004
【図３】
2005242081.tif 000005
【図４】
2005242081.tif 000006
【図５】
2005242081.tif 000007
【図６】
2005242081.tif 000008
【図７】
2005242081.tif 000009
【図８】
2005242081.tif 000010
【図９】
2005242081.tif 000011
【図１０】
2005242081.tif 000012
【図１１】
2005242081.tif 000013
【図１２】
2005242081.tif 000014
【図１３】
2005242081.tif 000015
【図１４】
2005242081.tif 000016
【図１５】
2005242081.tif 000017
【図１６】
2005242081.tif 000018
【図１７】
2005242081.tif 000019
【図１８】
2005242081.tif 000020
【図１９】
2005242081.tif 000021
【図２０】
2005242081.tif 000022
【図２１】
2005242081.tif 000023
【図２２】
2005242081.tif 000024
【図２３】
2005242081.tif 000025
【図２４】
2005242081.tif 000026
【図２５】
2005242081.tif 000027
【図２６】
2005242081.tif 000028
【図２７】
2005242081.tif 000029
【図２８】
2005242081.tif 000030